(57)【要約】【課題】大きさが異なる複数の原稿をマルチページ印刷する場合、小さい原稿の画像を見易くする。【解決手段】複数の原稿の画像を１枚の記録用紙に割り付けて印刷させる画像処理装置において、複数の原稿の画像情報並びに前記原稿の大きさおよび予め設定された記録用紙の大きさ並びに該記録用紙に割り付ける原稿の枚数を記憶する記憶部と、複数の原稿の画像情報を入力し、該画像情報を前記記憶部に記憶させる入力部と、前記記憶部に記憶された画像情報からそれぞれの原稿の大きさを検出し、検出したそれぞれの原稿の大きさを前記記憶部に記憶させる原稿サイズ検出部と、前記記憶部に記憶されたそれぞれの原稿の大きさと、前記記憶部に記憶された記録用紙の大きさを前記記憶部に記憶された該記録用紙に割り付ける原稿の枚数で分割した領域の大きさと、を比較し、分割した該領域の大きさ以下の原稿の画像は、その大きさを変えることなく該記録用紙に割り付けて印刷させる編集部とを設けた。【選択図】        図１
2010199687.tif 000002
【特許請求の範囲】
【請求項１】
複数の原稿の画像を１枚の記録用紙に割り付けて印刷させる画像処理装置において、
複数の原稿の画像情報並びに前記原稿の大きさおよび予め設定された記録用紙の大きさ並びに該記録用紙に割り付ける原稿の枚数を記憶する記憶部と、
複数の原稿の画像情報を入力し、該画像情報を前記記憶部に記憶させる入力部と、
前記記憶部に記憶された画像情報からそれぞれの原稿の大きさを検出し、検出したそれぞれの原稿の大きさを前記記憶部に記憶させる原稿サイズ検出部と、
前記記憶部に記憶されたそれぞれの原稿の大きさと、前記記憶部に記憶された記録用紙の大きさを前記記憶部に記憶された該記録用紙に割り付ける原稿の枚数で分割した領域の大きさとを比較し、分割した該領域の大きさ以下の原稿の画像は、その大きさを変えることなく該記録用紙に割り付けて印刷させる編集部とを設けたことを特徴とする画像処理装置。
【請求項２】
請求項１の画像処理装置において、
前記記憶部に、記録用紙に割り付ける原稿の回転方向を予め記憶させ、
前記編集部が、前記分割した領域の大きさ以下の原稿を前記回転方向に基づいて回転させ、該記録用紙に割り付けて印刷させることを特徴とする画像処理装置。
【請求項３】
請求項１または請求項２の画像処理装置において、
前記入力部で入力した画像情報は、異なる大きさの原稿の画像情報を含むことを特徴とする画像処理装置。
【請求項４】
請求項１、請求項２または請求項３の画像処理装置において、
前記入力部は、読取った原稿の画像情報を生成する原稿読取部としたことを特徴とする画像処理装置。
【発明の詳細な説明】
【技術分野】
【０００１】
本発明は、複数のページの内容を１枚の記録用紙に割り付けて印刷するマルチページ印刷が可能な画像処理装置に関する。
【背景技術】
【０００２】
従来の画像処理装置は、Ｎ（Ｎは２以上）ページで構成される文書のそれぞれのページを１／Ｎに縮小し、縮小した文書を記録用紙の１ページ内に割り付けてマルチページ印刷を行うようにしている（例えば、特許文献１参照）。
【先行技術文献】
【特許文献】
【０００３】
【特許文献１】特開２００５−１９３５５９号公報（段落「００３３」〜段落「００５５」、図１、図５）
【発明の概要】
【発明が解決しようとする課題】
【０００４】
しかしながら、上述した従来の技術においては、Ｎページで構成される文書のそれぞれのページを一律に１／Ｎに縮小してしまうため、大きさの異なる文書をマルチページ印刷する場合、小さい文書の画像も一律に縮小され、画像が小さくなり見難くなってしまうという問題がある。例えば、Ａ３判１ページの文書およびＡ４判１ページの文書をＡ３判１ページの記録用紙にマルチページ印刷する場合、Ａ３判およびＡ４判の文書はそれぞれ１／２に縮小され、縮小されたＡ４判の文書は画像が小さくなり過ぎて見難くなってしまう。
【０００５】
本発明は、このような問題を解決することを課題とし、大きさが異なる複数の文書をマルチページ印刷する場合であっても小さい文書の画像を見易くすることを目的とする。
【課題を解決するための手段】
【０００６】
そのため、本発明による画像処理装置は、複数の原稿の画像を１枚の記録用紙に割り付けて印刷させる画像処理装置において、複数の原稿の画像情報並びに前記原稿の大きさおよび予め設定された記録用紙の大きさ並びに該記録用紙に割り付ける原稿の枚数を記憶する記憶部と、複数の原稿の画像情報を入力し、該画像情報を前記記憶部に記憶させる入力部と、前記記憶部に記憶された画像情報からそれぞれの原稿の大きさを検出し、検出したそれぞれの原稿の大きさを前記記憶部に記憶させる原稿サイズ検出部と、前記記憶部に記憶されたそれぞれの原稿の大きさと、前記記憶部に記憶された記録用紙の大きさを前記記憶部に記憶された該記録用紙に割り付ける原稿の枚数で分割した領域の大きさと、を比較し、分割した該領域の大きさ以下の原稿の画像は、その大きさを変えることなく該記録用紙に割り付けて印刷させる編集部とを設けたことを特徴とする。
【発明の効果】
【０００７】
このようにした本発明は、大きさが異なる複数の文書をマルチページ印刷する場合であっても小さい文書の画像を見易くすることができるという効果が得られる。
【図面の簡単な説明】
【０００８】
【図１】第１の実施例における画像処理装置のブロック図
【図２】第１の実施例における複合機の外観図
【図３】第１の実施例におけるスキャナのＡＤＦユニットの外観図
【図４】第１の実施例におけるスキャナのＦＢユニットの外観図
【図５】第１の実施例におけるスキャナの断面説明図
【図６】第１の実施例におけるスキャナセットアップメニューの説明図
【図７】第１の実施例における画像情報テーブルの説明図
【図８】第１の実施例における印刷結果の説明図
【図９】第１の実施例における画像処理を示すフローチャート
【図１０】第２の実施例におけるスキャナセットアップメニューの説明図
【図１１】第２の実施例における印刷結果の説明図
【図１２】第２の実施例における画像処理を示すフローチャート
【発明を実施するための形態】
【０００９】
以下、図面を参照して本発明による画像処理装置の実施例を説明する。
【実施例１】
【００１０】
図２は第１の実施例における複合機の外観図である。
図２において、複合機は、原稿の画像を読取る画像読取装置としてのスキャナ１００および画像形成装置としてのプリンタ２００から構成され、複数の原稿の画像を１枚の記録用紙に割り付けて印刷するマルチページ印刷を行うことができるものである。
本実施例では、画像処理装置をスキャナ１００とし、そのスキャナ１００の構成を図３の第１の実施例におけるスキャナのＡＤＦユニットの外観図、図４の第１の実施例におけるスキャナのＦＢユニットの外観図、および図５の第１の実施例におけるスキャナの断面説明図に基づいて説明する。なお、説明の便宜上、本実施例に関連する構成のみを以下に説明する。
【００１１】
図３および図４において、スキャナ１００は、読取る原稿１０１を載置する用紙トレイ１０２と、原稿１０１を搬送しながら原稿１０１に記録さている画像を読取る原稿読取部としてのＡＤＦ（Ａｕｔｏ  Ｄｏｃｕｍｅｎｔ  Ｆｅｅｄｅｒ）ユニット１０３と、スキャナ１００の動作状況ならびにアラーム通知の表示およびスキャナ１００の各種メニュー設定を行うための操作パネル１０４と、原稿台１０６に載置された原稿の画像を読取る原稿読取部としてのＦＢ（ＦｌａｔＢｅｄ）ユニット１０５とから構成される。
【００１２】
ＦＢユニット１０５は、原稿を載置するための原稿台１０６と、原稿台１０６に載置された原稿に記録されている画像をその原稿台１０６の下方から読取るＦＢ用読取ユニット１０７と、ＦＢ読取ユニット１０７を図４に示す矢印の方向へ移動させるＦＢ用搬送ユニット１０８とから構成されている。
ＡＤＦユニット１０３は、用紙トレイ１０２に載置された複数の原稿１０１を１枚ずつ搬送してそれぞれの原稿１０１の画像を連続して読取ることができ、一方ＦＢ読取ユニット１０７は、原稿台１０６に載置された原稿の画像を１枚ずつ繰り返して読取り、どちらも読取ったすべての原稿の画像情報を結合して後述する記憶部に記憶させることができるようになっている。
【００１３】
図５において、ＡＤＦユニット１０３は、ピックアップローラ１０９、排出ローラ１１０、ＡＤＦ用読取ユニット１１１、および用紙位置センサ１１２から構成される。
用紙トレイ１０２に載置された原稿１０１は、ピックアップローラ１０９により１枚ずつ繰出されてＡＤＦユニット１０３の内部へ搬送される。ＡＤＦ用読取ユニット１１１は、搬送された原稿１０１の画像を読取り、排出ローラ１１０によりＡＤＦユニット１０３の外へ排出される。
【００１４】
ＡＤＦユニット１０３には、用紙位置センサ１１２が配備されており、その用紙位置センサ１１２で内部に搬送された原稿１０１の先端を検知するとＡＤＦ用読取ユニット１１１でその原稿１０１の画像の読取を開始する。
ＡＤＦ用読取ユニット１１１は、図示しない光源、ＣＣＤイメージセンサ、レンズ等により構成されており、光源から原稿に光を照射し、ＣＣＤイメージセンサによりその反射光量を測定することで原稿の画像データ（画像情報）を生成することができるようになっている。
【００１５】
なお、ＦＢユニット１０５の原稿台１０６、ＦＢ読取ユニット１０７、およびＦＢ用搬送ユニット１０８は上述した通りであるのでその説明を省略する。
次に、複合機の構成を図１の第１の実施例における画像処理装置のブロック図に基づいて説明する。なお、本実施例では、スキャナで読取られた画像情報をＡＤＦユニット１０３で読取られた画像情報とし、ＡＤＦユニット１０３は用紙サイズの異なる複数の原稿１０１の画像情報を読取るものとして説明する。
【００１６】
図１において、スキャナ１００は、入力部１２０、原稿サイズ検出部１２１、Ｎ検出部１２２、用紙サイズ検出部１２３、記憶部１２４、および編集部１２５により構成される。
ＡＤＦユニット１０３で読取られた複数の原稿１０１の画像情報は入力部１２０により読込まれ、読込まれた画像情報は記憶部１２４に記憶される。
【００１７】
原稿サイズ検出部１２１は、入力部１２０により読込まれた原稿１０１の画像情報から原稿１０１の各頁の大きさ（以下、「原稿サイズ」という。）を検出し、検出した原稿サイズを記憶部１２４に記憶させる。
Ｎ検出部１２２は、入力部１２０から画像情報が読込まれる前に、操作パネル１０４においてマルチページ印刷する原稿の枚数として予め設定される設定値Ｎを検出し、その設定値Ｎを記憶部１２４に記憶させる。なお、原稿の枚数をＮ（Ｎ＝「設定値Ｎ」、以下同じ。）としたマルチページ印刷を「Ｎ−Ｕｐ印刷」という。
【００１８】
用紙サイズ検出部１２３は、設定値Ｎと同様に、入力部１２０から画像情報が読込まれる前に、操作パネル１０４において入力部１２０で読込んだ画像情報を印刷するための印刷用紙のサイズとして予め設定される印刷用紙サイズを検出し、その用紙サイズを記憶部１２４に記憶させる。
記憶部１２４は、入力部１２０で読込まれた原稿１０１の画像情報、原稿サイズ検出部１２１で検出された原稿サイズ、Ｎ検出部１２２で検出された設定値Ｎ、用紙サイズ検出部１２３で検出された印刷用紙サイズを保存するメモリ等の記憶領域である。
【００１９】
編集部１２５は、原稿サイズ検出部１２１で検出され、記憶部１２４に記憶されている原稿サイズと、用紙サイズ検出部１２３で検出され、記憶部１２４に記憶されている印刷用紙サイズとを比較し、原稿サイズが印刷用紙サイズの１／Ｎより大きい場合は読取った原稿１０１の画像データを１／Ｎに縮小すると判定し、原稿サイズが印刷用紙サイズの１／Ｎ以下の場合は読取った原稿１０１の画像データを１／Ｎに縮小せず元の原稿サイズのままとすると判定し、記憶部１２４に原稿１０１の画像情報を縮小するか否かを示す等倍フラグＦ（１：縮小する、０：縮小しない）を格納する。
【００２０】
編集部１２５は、さらに記憶部１２４に記憶された等倍フラグＦの値を参照し、すべての原稿１０１の画像情報を印刷用紙の１頁内に収まるように割り付けて編集し、印刷するための印刷画像データを生成する。
このように編集部１２５は、記憶部１２４に記憶されたそれぞれの原稿の大きさと、記憶部１２４に記憶された記録用紙の大きさをその記録用紙に割り付ける原稿の枚数Ｎで分割した領域の大きさと、を比較し、分割したその領域の大きさ以下の原稿は、画像の大きさを変えることなく記録用紙に割り付けて編集し、印刷するための印刷画像データを生成する。
【００２１】
編集部１２５で編集された印刷画像データはプリンタ２００へ通知されて印刷用紙に印刷される。
なお、スキャナ１００は図示しないＣＰＵ（Ｃｅｎｔｒａｌ  Ｐｒｏｃｅｓｓｉｎｇ  Ｕｎｉｔ）等の制御部を備え、記憶部１２４に記憶された制御プログラムに基づいて入力部１２０、原稿サイズ検出部１２１、Ｎ検出部１２２、用紙サイズ検出部１２３、記憶部１２４、および編集部１２５等からなるスキャナ１００全体の動作を制御するものとする。
【００２２】
次に、入力部１２０から画像情報が読込まれる前に、操作パネル１０４で設定しておく設定項目を図６の第１の実施例におけるスキャナセットアップメニューの説明図に基づいて説明する。
スキャナセットアップメニューは、例えば図６に示すように入力部１２０で読込まれる原稿の原稿サイズを設定する読込み原稿サイズ、編集部１２５で編集された印刷画像データを印刷するための用紙のサイズを設定する印刷用紙サイズ、入力部１２０で原稿を読込む際の解像度を設定する読込み解像度、印刷用紙１頁に割り付ける原稿の頁数Ｎを設定するＮ−Ｕｐ設定、および入力部１２０において原稿の読み込みを開始させるためのＳｃａｎＳｔａｒｔボタンで構成されている。
【００２３】
なお、用紙トレイ１０２に異なるサイズの原稿を一度にセットする場合は読込み原稿サイズとしてＭｉｘｅｄＳｉｚｅを選択するものとする。
また、図６は読み込み原稿サイズにＭｉｘｅｄＳｉｚｅ、印刷用紙サイズにＡ３、読込み解像度に６００ｄｐｉ（Ｄｏｔｓ  Ｐｅｒ  Ｉｎｃｈ）、Ｎ−Ｕｐ設定に設定値Ｎ＝２とした２Ｕｐが設定されていることを示している。
【００２４】
次に、記憶部１２４に記憶される画像情報テーブルを図７の第１の実施例における画像情報テーブルの説明図に基づいて説明する。
画像情報テーブルは、原稿サイズ検出部１２１で検出された原稿の頁番号に対応させてその原稿のサイズならびに編集部１２５で判定された縮小の要否を表す等倍フラグ、およびＮ検出部１２２で検出された設定値Ｎ、用紙検出部１２３で検出された印刷用紙のサイズを記憶するものである。
【００２５】
図７において、１５０は入力部１２０で読取られた原稿の頁番号Ｐを示す。
１５１は原稿サイズＳであり、原稿サイズ検出部１２１で検出された各原稿のサイズを示し、例えばＡ３、Ａ４等で表すものとする。
１５２は等倍フラグＦであり、入力部１２０で読取られたＮ頁分の原稿の画像情報を１頁の印刷用紙に割り付けて編集する際に、原稿の画像情報を縮小せずに割り付ける（等倍フラグＦ＝１）か、１／Ｎに縮小して割り付ける（等倍フラグＦ＝０）かを示す。
【００２６】
１５３はＮ検出部１２２で検出された設定値Ｎ（Ｎは２以上の整数）を示す。
１５４は印刷用紙サイズＺであり、用紙検出部１２３で検出された印刷用紙のサイズを示す。
なお、等倍フラグＦは、
（各頁の原稿サイズＳ  ＝＜  印刷用紙サイズＺ  ×  １／Ｎ）のとき、Ｆ＝１、
（各頁の原稿サイズＳ  ＞  印刷用紙サイズＺ  ×  １／Ｎ）のとき、Ｆ＝０
となる。
【００２７】
上述した構成の作用について説明する。
まず、本実施例において、設定値Ｎ＝２とした場合（「２−Ｕｐ印刷」という。）の印刷結果を図８の第１の実施例における印刷結果の説明図に基づいて説明する。なお、印刷用紙サイズはＡ３に設定されているものとする。
図８（ａ）は原稿としてＡ３判の原稿およびＡ４判の原稿を使用した場合、図８（ｂ）は原稿としてＡ３判の原稿おおびＡ５判の原稿を使用した場合の例を示している。
【００２８】
用紙トレイ１０２には、原稿の長手方向がＡＤＦユニット１０３の原稿の給紙方向となるように載置される。
図８（ａ）および（ｂ）のいずれの場合も印刷用紙としてＡ３判の印刷用紙を使用しているが、従来の制御による２−Ｕｐ印刷の印刷結果は、読込んだ原稿のサイズに関わらずすべての原稿の画像情報を１／２のサイズに縮小、すなわちＮ−Ｕｐ印刷の印刷結果は読込んだ原稿のサイズに関わらずすべての原稿の画像情報を１／Ｎのサイズに縮小して印刷用紙上に配置される。
【００２９】
一方、本実施例では、２−Ｕｐ印刷の印刷結果は、読込んだ原稿のサイズが印刷用紙のサイズの１／２以下の場合、印刷用紙上に縮小しなくても割り付けが可能であるため、その原稿は縮小することなく等倍で印刷用紙上に配置する。
さらに、本実施例のように２−Ｕｐ印刷では、読込んだすべての原稿の画像を右に９０度回転させて印刷用紙上に配置する。この場合、用紙トレイ１０２に載置された原稿は、ポートレイトおよびランドスケープ原稿のいずれであっても原稿の給紙方向に対してすべて同じ向きにセットされていれば、９０度回転して印刷された場合でも１頁上に配置される複数の画像の向きはすべて同じ方向に向いて配置され、印刷される。
【００３０】
次に、スキャナ１００の動作を図９の第１の実施例における画像処理を示すフローチャートの図中Ｓで表すステップに従い、図１、図３、図６、図７、および図８を用いて説明する。
まず、図９（ａ）のフローチャートに基づいて説明する。
Ｓ３０１：スキャナ１００のＡＤＦユニット１０３が原稿の読取りを開始し、入力部１２０は読取った原稿の画像情報を受信する（データ受信）。
【００３１】
Ｓ３０２：入力部１２０は、原稿の画像情報を記憶部１２４に格納する（受信データのメモリ登録）。ここで、読取った原稿の枚数をＰ（Ｐは１以上の整数）とする。
Ｓ３０３：原稿サイズ検出部１２１は、入力部１２０で読込まれた画像情報の各頁の原稿サイズＳｐ（ｐ＝１、２、・・・、Ｐ）を検出する（各頁サイズＳｐの検出）。
Ｓ３０４：原稿サイズ検出部１２１は、検出した各頁の原稿サイズＳｐを記憶部１２４の画像情報テーブルの頁番号に対応させて格納する（Ｓｐのメモリ登録）。
【００３２】
なお、各頁の原稿サイズは入力部１２０により読込まれた画像情報から原稿の端部を検出して決定するものとする。
Ｓ３０５：Ｎ検出部１２２は、入力部１２０が画像情報を読み込んだ後、操作パネル１０４により予め設定されたＮ−Ｕｐ印刷の設定値Ｎを読み出す（Ｎ−Ｕｐ印刷設定値Ｎの検出）。
【００３３】
Ｓ３０６：Ｎ検出部１２２は、読み出した設定値Ｎを記憶部１２４の画像情報テーブルに格納する（Ｎのメモリ登録）。
Ｓ３０７：用紙サイズ検出部１２３は、入力部１２０が画像情報を読み込んだ後、操作パネル１０４により予め設定されている画像情報を印刷する印刷用紙のサイズＺを読み出す（印刷用紙サイズＺの検出）。
【００３４】
Ｓ３０８：用紙サイズ検出部１２３は、読み出した印刷用紙のサイズＺを記憶部１２４の画像情報テーブルに格納する（Ｚのメモリ登録）。
Ｓ３０９：入力部１２０で読込まれた画像情報を、Ｎ検出部１２２で検出した設定値Ｎと用紙サイズ検出部１２３で検出した印刷用紙サイズＺに基づき、印刷用紙サイズＺの１頁内にＮ頁分の画像情報を割り付ける際に、その画像情報を等倍で割り付けるか、縮小して割り付けるかを決定し、その結果を等倍フラグＦｐ（ｐは読込んだ頁番号、ｐ＝１、２、・・・、Ｐ）として記憶部１２４の画像情報テーブルに原稿の頁番号に対応させて格納する（等倍フラグＦｐのメモリ登録）。
【００３５】
ここで、等倍フラグＦｐのメモリ登録処理を図９（ｂ）のフローチャートの図中Ｓで表すステップにしたがって説明する。
Ｓ３２０：変数ｉに整数“１”をセットする（ｉ＝１）。
Ｓ３２１：各頁の原稿サイズＳｉと印刷用紙サイズＺの１／Ｎの大きさとを比較する（Ｓｉ  ＝＜  （ＺのＮ分割領域））。
【００３６】
Ｓ３２２：原稿サイズＳｉが印刷用紙サイズＺの１／Ｎの大きさ以下（各頁の原稿サイズＳｉ  ＝＜  印刷用紙サイズＺ  ×  １／Ｎ）の場合、等倍フラグＦｉに“１”をセットする（Ｆｉ＝１）。
Ｓ３２３：一方、原稿サイズＳｉが印刷用紙サイズＺの１／Ｎの大きさより大きい（各頁の原稿サイズＳｉ  ＞  印刷用紙サイズＺ  ×  １／Ｎ）場合、等倍フラグＦｉに“０”をセットする（Ｆｉ＝０）。
【００３７】
Ｓ３２４：変数ｉに“１”を加算して更新する（ｉ＝ｉ＋１）。
Ｓ３２５：変数ｉが読込まれた全原稿の頁番号Ｐを超える（Ｐ＜ｉ）までＳ３２１〜Ｓ３２４を繰り返し、超えた場合、等倍フラグＦｐのメモリ登録処理を終了する。
すべての等倍フラグＦの設定が終了すると図９（ａ）の説明に戻り、
Ｓ３１０：編集部１２５は、等倍フラグＦの値にしたがって読込んだ原稿の画像情報を編集する。
【００３８】
ここで、編集部１２５が行う原稿の画像情報の編集処理を図９（ｃ）のフローチャートの図中Ｓで表すステップにしたがって説明する。
Ｓ３４０：変数ｉに整数“１”をセットする（ｉ＝１）。
Ｓ３４１：読込んだ原稿の各頁の等倍フラグＦｉが“０”か否か、すなわち当該原稿の画像情報を縮小する必要があるか否かを判定する（Ｆｉ＝０？）。
【００３９】
Ｓ３４２：Ｓ３４１において、等倍フラグＦｉが“０”、すなわち当該原稿の画像情報を縮小する必要があると判定された場合、編集部１２５は、当該原稿の画像情報を１／Ｎに縮小して印刷用紙上の原稿１頁分の領域に割り付ける（画像縮小処理）。
一方、Ｓ３４１において、等倍フラグＦｉが“１”、すなわち当該原稿の画像情報を縮小する必要がないと判定された場合、編集部１２５は、当該原稿の画像情報を縮小せずに等倍のまま、印刷用紙上の原稿１頁分の領域に割り付ける。
【００４０】
Ｓ３４３：変数ｉに“１”を加算して更新する（ｉ＝ｉ＋１）。
Ｓ３４４：変数ｉが読込まれた全原稿の頁番号Ｐを超える（Ｐ＜ｉ）までＳ３４１〜Ｓ３４３を繰り返し、超えた場合、原稿の画像情報の編集処理を終了する。
このような画像情報の編集処理を行うことにより、図８に示すように（ａ）、（ｂ）いずれの場合もＡ３判の原稿のサイズは印刷用紙における原稿１頁分の領域よりも大きいため、原稿の画像情報は１／２に縮小されて配置される。
【００４１】
また、（ａ）で示すＡ４判の原稿のサイズは印刷用紙における原稿１頁分の領域に等しいため、１／２に縮小されることなく等倍で印刷用紙上に割り付けられる。
さらに、（ｂ）で示すＡ５判の原稿のサイズは印刷用紙における原稿１頁分の領域より小さいため、１／２に縮小されることなく等倍で印刷用紙上に割り付けられる。
このように入力部１２０による原稿の画像情報の読込みから印刷画像データを生成するまでの処理をスキャナ１００で行うようにしている。
【００４２】
図９（ａ）の説明に戻り、
Ｓ３１１：編集部１２５により編集された印刷画像データはプリンタ２００に送信され、印刷される。
なお、本実施例では、入力部１２０を原稿の画像を読取るスキャナ１００のＡＤＦユニット１０３として説明したが、それに限られることなくホストコンピュータ等の外部装置から原稿の画像情報を受信する受信部としてもよい。
【００４３】
以上説明したように、第１の実施例では、マルチページ印刷を行う場合、読み込む原稿の大きさと印刷用に割り付けられる原稿１頁分の領域の大きさとを比較し、読み込む原稿の大きさが印刷用に割り付けられる原稿１頁分の領域の大きさより小さいとき、または等しいとき、その原稿の画像情報を縮小することなく等倍で印刷するようにしたことにより、印刷結果を見易くすることができるという効果が得られる。
【実施例２】
【００４４】
第２の実施例の構成は、第１の実施例におけるスキャナセットアップメニューに“小原稿相対載置方向”を設定するメニューが追加されたものである。なお、図１、図２、図３、図４、図５、および図７に基づいて説明した第１の実施例の構成と同様の部分は、同一の符号を付してその説明を省略する。
入力部１２０から画像情報が読込まれる前に、操作パネル１０４で設定しておく設定項目を図１０の第２の実施例におけるスキャナセットアップメニューの説明図に基づいて説明する。
【００４５】
スキャナセットアップメニューの読込み原稿サイズ、印刷用紙サイズ、読込み解像度、Ｎ−Ｕｐ設定、およびＳｃａｎＳｔａｒｔボタンは第１の実施例と同様なのでその説明を省略する。
第２の実施例では、上記構成に小原稿相対載置方向メニューを追加している。
この小原稿相対載置方向メニューは、用紙トレイ１０２に載置する複数の原稿サイズのうち、大きいサイズの原稿の用紙トレイ１０２に載置する方向に対する小さいサイズの原稿の相対的な載置方向を設定するものである。
【００４６】
例えば、この小原稿相対載置方向メニューでは、パラメータとして「左９０度」、「０」、「右９０度」を設定できるものとし、「左９０度」は、図１１（ｅ）の使用原稿およびＡＤＦへの用紙のセット方法（符号１７７）で示すように、大きいサイズの原稿に対して小さいサイズの原稿を左方向に９０度回転させて用紙トレイ１０２に載置する場合に設定し、「０」は、図１１（ｃ）および（ｆ）の使用原稿およびＡＤＦへの用紙のセット方法（符号１７０、１８１）で示すように、大きいサイズの原稿に対して小さいサイズの原稿を同じ向きになるように用紙トレイ１０２に載置する場合に設定し、「右９０度」は、図１１（ｄ）の使用原稿およびＡＤＦへの用紙のセット方法（符号１７３）で示すように、大きいサイズの原稿に対して小さいサイズの原稿を右方向に９０度回転させて用紙トレイ１０２に載置する場合に設定する。
【００４７】
ただし、小原稿相対載置方向メニューで設定されるパラメータは入力部１２０で原稿の画像を読み込む前に設定しておくものとし、設定されたパラメータは記憶部１２４に記憶されるものとする。
上述した構成の作用について説明する。
まず、本実施例において、設定値Ｎ＝２とした２−Ｕｐ印刷の場合の印刷結果を図１１の第２の実施例における印刷結果の説明図に基づいて説明する。なお、印刷用紙サイズはＡ４に設定されているものとする。
【００４８】
図１１（ｃ）は、複数の原稿を同じ向き（原稿の長手方向がＡＤＦユニット１０３の原稿の給紙方向）になるように用紙トレイ１０２に載置した場合を示している。
この場合、従来の制御による２−Ｕｐ印刷の印刷結果は、読込んだ原稿は右に９０度回転し、かつ原稿のサイズに関わらずすべての原稿の画像情報を１／２のサイズに縮小して印刷用紙上に配置される（符号１７１）。
【００４９】
また、第１の実施例の制御による２−Ｕｐ印刷の印刷結果は、読込んだ原稿は右に９０度回転し、かつＡ４判の原稿の画像情報は１／２のサイズに縮小され、Ａ５判の原稿は等倍で印刷用紙上に割り付けられる（符号１７２）。
図１１（ｆ）は、複数の原稿を同じ向き（原稿の短手方向がＡＤＦユニット１０３の原稿の給紙方向）になるように用紙トレイ１０２に載置した場合を示している。
【００５０】
この場合、従来の制御による２−Ｕｐ印刷の印刷結果は、読込んだ原稿は回転せず、かつ原稿のサイズに関わらずすべての原稿の画像情報を１／２のサイズに縮小して印刷用紙上に配置される（符号１８２）。
また、第１の実施例の制御による２−Ｕｐ印刷の印刷結果は、読込んだ原稿は回転せず、かつＡ４判の原稿の画像情報は１／２のサイズに縮小され、Ａ５判の原稿は等倍で印刷用紙上に割り付けられる（符号１８３）。
【００５１】
なお、本実施例では、小原稿相対載置方向のパラメータとして「０」を設定することにより、第１の実施例と同様の印刷結果を得ることができる。
また、原稿の長手方向または短手方向がＡＤＦユニット１０３の原稿の給紙方向になるように用紙トレイ１０２に載置されたことは、原稿サイズ検出部１２１により検出されるものとする。
【００５２】
図１１（ｄ）は、大きいサイズ（Ａ４判）の原稿の長手方向に対して小さいサイズ（Ａ５判）の原稿の長手方向を右に９０度回転させて用紙トレイ１０２に載置した場合を示している。
この場合、従来の制御による２−Ｕｐ印刷の印刷結果は、読込んだそれぞれの原稿は右に９０度回転し、かつ原稿のサイズに関わらずすべての原稿の画像情報を１／２のサイズに縮小して印刷用紙上に配置される（符号１７４）。
【００５３】
また、第１の実施例の制御による２−Ｕｐ印刷の印刷結果は、読込んだそれぞれの原稿は右に９０度回転し、かつＡ４判の原稿の画像情報は１／２のサイズに縮小され、Ａ５判の原稿は等倍で印刷用紙上に割り付けられる。そのため、Ａ５判の原稿の画像の一部が欠けてしまう（符号１７５）。
本実施例では、小原稿相対載置方向のパラメータとして「右９０度」を設定することにより、用紙トレイ１０２に載置された最も大きいサイズの原稿の向きを基準として小さい原稿の画像を印刷用紙上の原稿１頁分の領域に配置する際にその画像を左方向に９０度回転して配置し、画像の欠落が解消されると同時に同一の印刷用紙上に配置される画像の向きが同じ方向になるように印刷することができる（符号１７６）。
【００５４】
図１１（ｅ）は、大きいサイズ（Ａ４判）の原稿の長手方向に対して小さいサイズ（Ａ５判）の原稿の長手方向を左に９０度回転させて用紙トレイ１０２に載置した場合を示している。
この場合、従来の制御による２−Ｕｐ印刷の印刷結果は、読込んだ原稿は回転せず、かつ原稿のサイズに関わらずすべての原稿の画像情報を１／２のサイズに縮小して印刷用紙上に配置される（符号１７８）。
【００５５】
また、第１の実施例の制御による２−Ｕｐ印刷の印刷結果は、読込んだ原稿は回転せず、かつＡ４判の原稿の画像情報は１／２のサイズに縮小され、Ａ５判の原稿は等倍で印刷用紙上に割り付けられる。そのため、Ａ５判の原稿の画像の一部が欠けてしまう（符号１７９）。
本実施例では、小原稿相対載置方向のパラメータとして「左９０度」を設定することにより、用紙トレイ１０２に載置された最も大きいサイズの原稿の向きを基準として小さい原稿の画像を印刷用紙上の原稿１頁分の領域に配置する際にその画像を右方向に９０度回転して配置し、画像の欠落が解消されると同時に同一の印刷用紙上に配置される画像の向きが同じ方向になるように印刷することができる（符号１８０）。
【００５６】
このように本実施例では、小原稿相対載置方向のパラメータ、すなわち記録用紙に割り付ける原稿の回転方向を予め設定しておくことにより、用紙トレイ１０２に載置された最も大きいサイズの原稿の向きを基準として小さい原稿の画像を印刷用紙上の原稿１頁分の領域に配置する際に、その画像を設定された回転方向へ回転して配置し、画像の欠落が解消されると同時に同一の印刷用紙上に配置される画像の向きが同じ方向になるように印刷することができる。
【００５７】
次に、スキャナ１００の動作を図１２の第２の実施例における画像処理を示すフローチャートの図中Ｓで表すステップに従い、図１、図３、図７、図１０、および図１１を用いて説明する。
まず、図１２（ａ）のフローチャートに基づいて説明する。
Ｓ４０１：スキャナ１００のＡＤＦユニット１０３が原稿の読取りを開始し、入力部１２０は読取った原稿の画像情報を受信する（データ受信）。
【００５８】
Ｓ４０２：入力部１２０は、原稿の画像情報を記憶部１２４に格納する（受信データのメモリ登録）。ここで、読取った原稿の枚数をＰ（Ｐは１以上の整数）とする。
Ｓ４０３：制御部は、操作パネル１０４により予め設定された「小原稿相対載置方向」の設定値を読み出し、記憶部１２４に格納する（小原稿相対載置方向確認）。
Ｓ４０４〜Ｓ４１０：図９におけるＳ３０３〜Ｓ３０９と同様なのでその説明を省略する。
【００５９】
Ｓ４１１：すべての等倍フラグＦの設定が終了すると編集部１２５は、等倍フラグＦの値にしたがって読込んだ原稿の画像情報を編集する。
ここで、編集部１２５が行う原稿の画像情報の編集処理を図１２（ｂ）のフローチャートの図中Ｓで表すステップにしたがって説明する。
Ｓ４２０：変数ｉに整数“１”をセットする（ｉ＝１）。
【００６０】
Ｓ４２１：読込んだ原稿の各頁の等倍フラグＦｉが“０”か否か、すなわち当該原稿の画像情報を縮小する必要があるか否かを判定する（Ｆｉ＝０？）。
Ｓ４２２：Ｓ４２１において、等倍フラグＦｉが“０”、すなわち当該原稿の画像情報を縮小する必要があると判定された場合、編集部１２５は、当該原稿の画像情報を１／Ｎに縮小して印刷用紙上の原稿１頁分の領域に割り付ける（画像縮小処理）。
【００６１】
一方、Ｓ４２１において、等倍フラグＦｉが“１”、すなわち当該原稿の画像情報を縮小する必要がないと判定された場合、編集部１２５は、当該原稿の画像情報を縮小せずに等倍のまま、印刷用紙上の原稿１頁分の領域に割り付ける。
Ｓ４２３：編集部１２５は、Ｓ４０３において読み出され、記憶部１２４に記憶された「小原稿相対載置方向」の設定値が「左９０度」であるか否かを判定し、「左９０度」でない場合、処理をＳ４２５へ移行する。
【００６２】
Ｓ４２４：Ｓ４２３において「小原稿相対載置方向」の設定値が「左９０度」であると判定された場合、編集部１２５は、小さい原稿の画像情報のみを右に９０度回転させて処理をＳ４２７へ移行する。
Ｓ４２５：編集部１２５は、Ｓ４０３において読み出され、記憶部１２４に記憶された「小原稿相対載置方向」の設定値が「右９０度」であるか否かを判定し、「右９０度」でない場合（「小原稿相対載置方向」の設定値が「０」の場合）、処理をＳ４２７へ移行する。
【００６３】
Ｓ４２６：Ｓ４２５において「小原稿相対載置方向」の設定値が「右９０度」であると判定された場合、編集部１２５は、小さい原稿の画像情報のみを左に９０度回転させて処理をＳ４２７へ移行する。
Ｓ４２７：変数ｉに“１”を加算して更新する（ｉ＝ｉ＋１）。
Ｓ４２８：変数ｉが読込まれた全原稿の頁番号Ｐを超える（Ｐ＜ｉ）までＳ４２１〜Ｓ４２７を繰り返し、超えた場合、原稿の画像情報の編集処理を終了する。
【００６４】
このような画像情報の編集処理を行うことにより、図１１（ｄ）、（ｅ）に示すように、大きいサイズ（Ａ４判）の原稿の長手方向に対して小さいサイズ（Ａ５判）の原稿の長手方向を右または左に９０度回転させて用紙トレイ１０２に載置した場合であっても、小原稿相対載置方向の「右９０度」または「左９０度」の設定に従い、小さい原稿の画像を印刷用紙上の原稿１頁分の領域に配置する際に画像を左方向または右方向に９０度回転して配置し、画像の欠落が解消されると同時に同一の印刷用紙上に配置される画像の向きが同じ方向になるように印刷することができる。
【００６５】
図１２（ａ）の説明に戻り、
Ｓ４１２：編集部１２５により編集された印刷画像データはプリンタ２００に送信され、印刷される。
以上説明したように、第２の実施例では、第１の実施例の効果に加え、読み込む原稿の向きが異なる場合であっても、印刷用紙に配置される画像が欠けることなく、すべての原稿の画像を印刷することができるという効果が得られる。
【００６６】
また、すべての原稿の画像を同一の方向で印刷することができるという効果が得られる。
なお、第１の実施例および第２の実施例では、画像処理装置として複合機で説明したが、ファクシミリ装置、複写機、またはプリンタとしてもよい。
【符号の説明】
【００６７】
１００  スキャナ
１０１  原稿
１０２  用紙トレイ
１０３  ＡＤＦユニット
１０４  操作パネル
１０５  ＦＢユニット
１０６  原稿台
１０７  ＦＢ用読取ユニット
１０８  ＦＢ用搬送ユニット
１０９  ピックアップローラ
１１０  排出ローラ
１１１  ＡＤＦ用読取ユニット
１１２  用紙位置センサ
２００  プリンタ
【図１】
2010199687.tif 000003
【図２】
2010199687.tif 000004
【図３】
2010199687.tif 000005
【図４】
2010199687.tif 000006
【図５】
2010199687.tif 000007
【図６】
2010199687.tif 000008
【図７】
2010199687.tif 000009
【図８】
2010199687.tif 000010
【図９】
2010199687.tif 000011
【図１０】
2010199687.tif 000012
【図１１】
2010199687.tif 000013
【図１２】
2010199687.tif 000014